(57)【要約】【課題】相手局登録を子機のみの操作で行い、親機の設置場所が相手局登録用スイッチを押下することが困難な場合でも、簡単に追加する子機の相手局登録が行える無線テレメータシステムを提供する。【解決手段】センター側網制御装置２と、センター側網制御装置２と通信回線を介して接続された端末側網制御装置３と、端末側網制御装置３に接続された無線親機４と、無線親機４と無線回線を介して通信を行う複数の無線子機５ａ〜５ｍと、無線親機４および無線子機５ａ〜５ｍに接続されたメータ６ａ〜６ｎとからなる無線テレメータシステムであり、相手局登録を無線子機５ａ〜５ｍのみの操作で行える。【選択図】図１
2007184742.tif 000002
【特許請求の範囲】
【請求項１】
センター側網制御装置と、前記センター側網制御装置と通信回線を介して接続された端末側網制御装置と、前記端末側網制御装置に接続された無線親機と、前記無線親機と無線回線を介して通信を行う複数の無線子機と、前記無線親機および前記無線子機に接続されたメータと、からなる無線テレメータシステムであって、
前記無線親機における前記無線子機についての相手局登録を前記無線子機のみの操作で行うことを特徴とする無線テレメータシステム。
【請求項２】
登録相手である前記無線親機の情報が前記無線子機において事前登録されており、前記無線親機における前記相手局登録は、事前登録された前記情報に基づいて前記無線子機から送出され前記無線親機において受信した相手局登録信号に基づいて行われることを特徴とする請求項１記載の無線テレメータシステム。
【請求項３】
前記無線親機の情報の事前登録は、前記相手局登録を行おうとする前記無線子機が前記相手局登録済みの別の前記無線子機との間においてする有線通信によって入手した相手局登録済み情報に基づいて行われることを特徴とする請求項２に記載の無線テレメータシステム。
【請求項４】
前記無線親機の情報の事前登録は、前記相手局登録を行おうとする前記無線子機が前記相手局登録済みの別の前記無線子機との間においてする無線通信によって入手した相手局登録済み情報に基づいて行われることを特徴とする請求項２に記載の無線テレメータシステム。
【請求項５】
前記無線親機の情報の事前登録は、前記相手局登録を行おうとする前記無線子機と、前記相手局登録済みの別の前記無線子機との各々を、親機情報登録設定状態として相手局登録スイッチを押下することによって行うことを特徴とする請求項１〜４のいずれか１つの項に記載の無線テレメータシステム。
【請求項６】
前記無線子機のみの操作で前記相手局登録が実施された前記無線親機は、通信終了後、一定時間、相手局登録受付状態となることを特徴とする請求項１〜５のいずれか１つの項に記載の無線テレメータシステム。
【請求項７】
前記無線親機は、前記相手局登録済の前記無線子機から、相手局登録信号を受信した場合に、前記相手局登録受付状態となることを特徴とする請求項６に記載の無線テレメータシステム。
【請求項８】
前記無線親機は、前記相手局登録受付状態において、一定時間、相手局登録信号を受信しない場合、及び相手局登録済の前記無線子機からの通常の呼出信号を受信した場合に、前記相手局登録受付状態を終了することを特徴とする請求項６又は７に記載の無線テレメータシステム。
【発明の詳細な説明】
【技術分野】
【０００１】
この発明は、無線テレメータシステムに関し、特に、端末側網制御装置に接続された無線親機と、当該無線親機と縁組関係にあり無線回線を介して通信を行う無線子機と、無線子機に接続されたマイコンメータとを備える無線テレメータシステムに関する。
【背景技術】
【０００２】
無線テレメータシステムは、センター側網制御装置と、センター側網制御装置と通信回線を介して接続された端末側網制御装置（以下、Ｔ−ＮＣＵと略す）と、Ｔ−ＮＣＵに接続された無線親機（以下、親機と略す）と、親機と無線回線を介して通信を行う複数の無線子機（以下、子機と略す）と、親機または子機に接続されたガス、水道、電気等のメータによって構成される。
【０００３】
無線通信による相手局登録は、親機及び子機の相手局登録用スイッチを各々押下し、親機又は子機のどちらか一方から、登録開始コマンドと自局の無線識別符号及びユーザＩＤ（識別符号）を送信し、他方は受信した相手局の無線識別符号及びユーザＩＤを記憶するとともに、相手局に対して自局の無線識別符号及びユーザＩＤと記憶した相手局の無線識別符号及びユーザＩＤを送信し、受信側で受信した自局の無線識別符号及びユーザＩＤを確認し、誤りがなければ受信した相手局の無線識別符号及びユーザＩＤを記憶するという動作により行われる。
【０００４】
従来の通信システムは、相手局登録を無線通信によって行い、相互のＩＤ情報を送受信して登録を行っており、この登録に使用するＩＤ情報は無線端末の製造時に書き込まれる製造番号等を使用している（例えば、特許文献１を参照）。無線テレメータシステムによっては、ユーザＩＤを専用の設定器によって書き込んだ後、相手局登録を無線通信によって行うものもある。
【特許文献１】特開平１１−２７７６０号公報
【発明の開示】
【発明が解決しようとする課題】
【０００５】
上記のような従来の無線システムにおいて、既に運用されているシステムに対して、新たに子機を追加する必要が発生した場合には、上述のように相手局登録を行うために、親機及び子機の相手局登録用スイッチを各々押下する必要がある。ここで、親機は既に設置済みのため、親機の設置場所（例えば、高所）によっては親機の相手局登録用スイッチを押下することが困難である場合がある。
【０００６】
本発明の目的は、相手局登録を子機のみの操作で行えるようにして、従来のように親機の設置場所が相手局登録用スイッチを押下することが困難な場合でも、簡単に追加子機の相手局登録が行える無線テレメータシステムを提供することである。
【課題を解決するための手段】
【０００７】
上記目的を達成するために、本発明の無線テレメータシステムは、センター側網制御装置と、前記センター側網制御装置と通信回線を介して接続された端末側網制御装置と、前記端末側網制御装置に接続された無線親機と、前記無線親機と無線回線を介して通信を行う複数の無線子機と、前記無線親機および前記無線子機に接続されたメータと、からなる無線テレメータシステムであって、前記無線親機における前記無線子機についての相手局登録を前記無線子機のみの操作で行うことを特徴とする。
【０００８】
本発明の無線テレメータシステムの好ましい実施形態では、登録相手である前記無線親機の情報が前記無線子機において事前登録されており、前記無線親機における前記相手局登録を、事前登録された前記情報に基づいて前記無線子機から送出され前記無線親機において受信した相手局登録信号に基づいて行うことができる。相手局登録を子機のみの操作で行うために必要となる登録相手である無線親機の情報を、無線子機に事前登録するため、無線子機は親機情報登録手段を備ることができる。
【０００９】
本発明の無線テレメータシステムの好ましい実施形態では、前記無線親機の情報の事前登録は、前記相手局登録を行おうとする前記無線子機が前記相手局登録済みの別の前記無線子機との間においてする有線通信によって入手した相手局登録済み情報に基づいて行うことができる。
【００１０】
本発明の無線テレメータシステムの好ましい実施形態では、前記無線親機の情報の事前登録は、前記相手局登録を行おうとする前記無線子機が前記相手局登録済みの別の前記無線子機との間においてする無線通信によって入手した相手局登録済み情報に基づいて行うことができる。
【００１１】
本発明の無線テレメータシステムの好ましい実施形態では、前記無線親機の情報の事前登録は、前記相手局登録を行おうとする前記無線子機と、前記相手局登録済みの別の前記無線子機との各々を、親機情報登録設定状態として相手局登録スイッチを押下することによって行うことができる。
【００１２】
本発明の無線テレメータシステムの好ましい実施形態では、前記無線子機のみの操作で前記相手局登録が実施された前記無線親機を、通信終了後、一定時間、相手局登録受付状態とすることができる。
【００１３】
本発明の無線テレメータシステムの好ましい実施形態では、前記無線親機は、前記相手局登録済の前記無線子機から、相手局登録信号を受信した場合に、前記相手局登録受付状態となることができる。
【００１４】
本発明の無線テレメータシステムの好ましい実施形態では、前記無線親機は、前記相手局登録受付状態において、一定時間、相手局登録信号を受信しない場合、及び相手局登録済の前記無線子機からの通常の呼出信号を受信した場合に、前記相手局登録受付状態を終了することができる。
【発明の効果】
【００１５】
本発明は、相手局登録を子機のみの操作で行えるので、従来のように親機の設置場所が相手局登録用スイッチを押下することが困難な場合でも、簡単に追加する子機の相手局登録を行うことができる。
【発明を実施するための最良の形態】
【００１６】
以下、本発明による無線テレメータシステムの好ましい実施形態を、図面を用いて詳細に説明する。図１は、本発明における無線テレメータシステムの好ましい実施形態を示すシステム構成図である。
【００１７】
図１において、無線テレメータシステムは、ホストコンピュータ１に接続されたセンター側網制御装置２と、このセンター側網制御装置２に対して有線通信である電話回線を介して接続されたＴ−ＮＣＵ（端末側網制御装置）３と、Ｔ−ＮＣＵ３に対して有線で接続された親機（無線親機）４と、親機４に有線で接続されたメータ６ｎと、親機４と無線通信を行う複数の子機（無線子機）５ａ〜５ｍと、子機５ａ〜５ｍにそれぞれ有線で接続されたメータ６ａ〜６ｍによって構成される。
【００１８】
図２は、本発明の実施形態における親機４及び子機５ａ〜５ｍの各構成要素例を示すブロック図である。図２に示す本実施例の場合、親機４及び子機５ａ〜５ｍは、ともに同様の構成要素を有する。親機４及び子機５ａ〜５ｍは、図２に示すように、アンテナ７、無線通信ユニット８、制御部９、メータインターフェース部１０、自局ＩＤ記憶部１１、相手局ＩＤ記憶部１２、スイッチ部１３、及び表示部１４によって構成されている。
【００１９】
図２の無線通信ユニット８は、アンテナ７に接続されている。無線通信ユニット８は、図１の通信相手である親機４又は通信相手である子機５ａ〜５ｍと無線通信を行う。制御部９は、無線通信ユニット８、メータインターフェース部１０、自局ＩＤ記憶部１１、相手局ＩＤ記憶部１２、スイッチ部１３及び表示部１４に接続されており、親機４又は子機５ａ〜５ｍの動作を制御する。
【００２０】
図２のメータインターフェース部１０は、図１の親機４の構成要素の場合にはＴ−ＮＣＵ３と接続するために用いられ、図１の子機５ａ〜５ｍの構成要素の場合にはメータ６ａ〜６ｍと接続するために用いられる。図２の自局ＩＤ記憶部１１は、自己（自局）の無線局の呼出名称及びユーザＩＤを記憶している。相手局ＩＤ記憶部１２は、相手の無線局の呼出名称及びユーザＩＤを記憶している。図２のスイッチ部１３は、子機に対する相手局登録を無線子機のみの操作で行う時に使用する登録スイッチと、各種設定を行う設定スイッチで構成される。図２の表示部１４は、相手局登録動作の結果を表示する。
【００２１】
図３は、本発明の無線テレメータシステムの好ましい実施形態における図１に示す子機５ａ〜５ｍの図２に示すメータインターフェース部１０の構成図である。図３において、子機５ａ〜５ｍのメータインターフェース部１０は、電文を送信するための電文送信用のフォトカプラ１５、メータ６ａ〜６ｍからの電文を受信するための電文受信用のフォトカプラ１６、メータ６ａ〜６ｍに内蔵されて子機５ａ〜５ｍと電文を送受信するためのスイッチ１７及びスイッチ１８、並びに抵抗１９及び抵抗２０によって構成されている。図３のＡ１およびＡ２は、接続端子である。
【００２２】
図４は、本発明の無線テレメータシステムの好ましい実施形態においてこれから新たに追加しようとする子機Ａと、既に相手局登録済みの子機Ｂとの相互のメータインターフェース部１０を接続して通信を可能とするための手段、いわゆるインターフェース変換手段の構成を示している。このインターフェース変換手段は、図４に例示するように、子機Ａと電文を送受信するためのスイッチ２１及びスイッチ２２、抵抗２３及び抵抗２４、子機Ａと子機Ｂの電文の送受信を制御する制御部２５、抵抗２６及び抵抗２７、並びに子機Ｂと電文を送受信するためのスイッチ２８及びスイッチ２９により構成されている。図中のＡ１およびＡ２は接続端子である。
【００２３】
ここで、図２の各構成要素、図３のメータインターフェース部１０、及び図４に示すインターフェース変換手段は、本発明の実施形態における相手局登録手段と親機情報登録手段を構成している。相手局登録手段は、相手局登録を子機のみの操作で行える。また、親機情報登録手段は、相手局登録を子機のみの操作で行うために必要となる親機の情報を、子機に対して事前登録するためのものである。
【００２４】
図５と図６は、本発明の実施形態の無線テレメータシステムの子機において、相手局登録時に登録スイッチが押下された場合の動作を示すフローチャートである。
【００２５】
図７と図８は、本発明の無線テレメータシステムの親機の動作を示すフローチャートで  ある。
【００２６】
次に、図２に示す子機のメータインターフェース部１０の動作を、図３を用いて説明する。待機状態では、図１の子機５ａ〜５ｍの図３に示す電文送信用フォトカプラ１５はオフになっており、メータ６ａ〜６ｍの送受信用のスイッチ１７がＧＮＤに接続され、スイッチ１８が受信回路に接続されている。
【００２７】
図３において、図１のメータ６ａ〜６ｍが電文を送信する場合には、スイッチ１８をＧＮＤに接続し、送信データに応じてスイッチ１７をオン・オフする。メータ６ａ〜６ｍから送信された電文は、子機５ａ〜５ｍの電文受信用フォトカプラ１６によって受信される。図１のメータ６ａ〜６ｍは電文送信後受信待ちとなる。このとき、スイッチ１７とスイッチ１８の状態は待機時と同じであり、メータ６ａ〜６ｍの送受信用のスイッチ１７がＧＮＤに接続され、スイッチ１８が受信回路に接続されている。
【００２８】
図３において、図１の子機５ａ〜５ｍが電文を送信する場合、送信データに応じて電文送信用フォトカプラ１５をオン・オフする。メータ６ａ〜６ｍは子機５ａ〜５ｍから送信された電文を、スイッチ１８を通して受信する。以上のようにして、親機４又は子機５ａ〜５ｍとメータ６ａ〜６ｍとは電文の送受信を行う。
【００２９】
図４のインターフェース変換手段の動作を説明する。インターフェース変換手段の子機Ａ側の端子Ａ１とＡ２、及び子機Ｂ側の端子Ａ１とＡ２は、子機Ａのメータインターフェース端子Ａ１とＡ２、子機Ｂのメータインターフェース端子Ａ１とＡ２にそれぞれ接続される。待機状態ではスイッチ２１とスイッチ２８がＧＮＤに接続され、スイッチ２２とスイッチ２９が受信回路に接続されている。図４において、子機Ａから送信された電文は、スイッチ２２を通して制御部２５に受信する。制御部２５は子機Ａから受信した電文を子機Ｂに送信するために、スイッチ２９をＧＮＤに接続し、送信データに応じてスイッチ２８をオン・オフする。子機Ｂへの送信終了後、スイッチ２８とスイッチ２９を待機時の状態にして、子機Ｂからの電文受信待ちとなる。
【００３０】
これとは反対に制御部２５が子機Ｂからの電文を受信した場合には、上記と同様の動作を行い、制御部２５は子機Ａに電文を送信する。以上のように、インターフェース変換手段は動作し、このインターフェース変換手段は標準で具備している子機のメータインターフェースを利用しているため、コストアップすることなく、有線通信によって親機情報を、追加する子機に送信できるメリットがある。
【００３１】
次に、本発明の無線テレメータシステムの子機における、登録スイッチが押下された場合の相手局登録動作を、図１、図２、図５及び図６を用いて説明する。ここでは、工事担当者が、既に稼働中の図１の親機４と子機５ａ〜子機５ｌのシステムに対して、新たに図１の子機５ｍを追加する場合を例にして説明する。
【００３２】
この場合には、まず新たに追加しようとしている子機５ｍに対して、親機４の情報を事前登録するために、既に親機４と相手局登録が済んでいる子機、例えば子機５ａと、新たに追加しようとしている子機５ｍとの各々のスイッチ部１３（図２参照）にある親機情報登録設定スイッチ（図示せず）を有効状態にする。これによって、子機５ａが相手局ＩＤ記憶部で記憶している親機４についての相手局登録済み情報は、新たに追加しようとしている子機５ｍに対して事前登録可能となる。
【００３３】
図５において、図２に示す子機５の制御部９は、スイッチ部１３にある登録スイッチが押下された場合に、スイッチ部１３にある親機情報登録設定スイッチが有効状態になっているかを確認する（ステップＳ１、「Ｓ１」と略す。以下同じ）。Ｓ１において親機情報登録設定スイッチが有効状態で無い場合には、通常の相手局登録であると判断し、子機５ａは相手局登録信号を親機４に対して送信する（Ｓ２）。相手局登録信号の送信後、親機４からの相手局登録応答信号を監視する（Ｓ３）。
【００３４】
Ｓ３において応答がない場合には、一定期間受信待ちを行い（Ｓ４からＳ３に戻る）、Ｓ４において一定期間経過（タイムアウト）しても応答がない場合には、親機４への相手局登録に失敗したと判断し、相手局登録に失敗したことを、図２の表示部１４に表示する（Ｓ５）。一方、Ｓ３において、親機４から相手局登録応答信号を受信した場合には、図２に示す相手局ＩＤ記憶部１２に相手の無線局の呼出名称及びユーザＩＤを記憶する（Ｓ６）。
【００３５】
図５のＳ１において親機情報登録設定スイッチが有効状態になっている場合には、子機の制御部９は図２に示す自己の相手局ＩＤ記憶部１２を参照する（Ｓ７）。相手局ＩＤ記憶部１２が親機情報を記憶している場合には、有線の場合には記憶している親機４の情報をメータインターフェース部１０に送信し、無線の場合には記憶している親機４の情報を無線通信ユニット８に対して送信する（Ｓ８）。
【００３６】
Ｓ７において親機情報を記憶していない場合には、子機の制御部９は親機４の情報を事前登録するために親機情報受信状態となる（Ｓ９）。この後、既に親機４と相手局登録が済んでいる子機５ｂ〜５ｌから有線通信又は無線通信にて送信された親機４の情報を送り、親機４の情報を受けた子機５ｍは、相手局ＩＤ記憶部１２に対して相手の無線局の呼出名称及びユーザＩＤを記憶する（Ｓ１０）。
【００３７】
以上のように、本発明の無線テレメータシステムの好ましい実施形態では、既に運用されているシステムに対して新たに子機５ｍを追加する場合に、既に親機４と相手局登録が済んでいる子機５ａ〜５ｌから、有線通信又は無線通信にて親機４の情報を得ることができるので、工事担当者が親機４の相手局登録用スイッチを押下することが困難である場合でも、工事担当者は子機のみの操作で、新たに追加しようとする子機５ｍの相手局登録を確実にかつ容易に行うことができる。
【００３８】
次に、本発明の無線テレメータシステムの好ましい実施形態において、親機４の無線呼出を受信した場合の動作を、図１、図２、図７及び図８を用いて説明する。
【００３９】
図７において、親機４の制御部９は、無線呼出の有無を常時監視している（Ｓ１１）。Ｓ１１において無線呼出が有った場合には、前記無線呼出が相手局登録信号であるかどうかを確認する（Ｓ１２）。Ｓ１２において無線呼出が相手局登録信号で無い場合には、通常の通信としての応答を行う（Ｓ１３）。
【００４０】
一方、Ｓ１２において前記無線呼出が相手局登録信号であった場合には、親機４の制御部９は自己の相手局ＩＤ記憶部１２を参照して、相手子機が相手局登録済みであるかの確認を行う（Ｓ１４）。この確認の結果、相手子機が未登録の子機である場合には、子機に対して相手局登録応答信号を送信して相手局登録動作を行い（Ｓ１５）、通信終了後に他の未登録の子機からの相手局登録信号受信待ちとなる（図８のＳ１６）。また、図７のＳ１４で相手の子機が相手局登録済みで有った場合も同様に、Ｓ１６において未登録の子機からの相手局登録信号受信待ちとなる。
【００４１】
親機４の制御部９は、呼出信号の受信を監視し（Ｓ１７）、一定期間経過しても呼出信号を受信しない場合には、相手局登録信号受信待ち状態を終了して（Ｓ１８）、通常動作に戻る（Ｓ２０）。一方、親機４の制御部９がＳ１７で呼出信号を受信した場合には、Ｓ１９において前記呼出信号が相手局登録信号であるかどうかを確認する。確認の結果、相手局登録信号で無かった場合には、相手局登録信号受信待ち状態を終了して、通常動作に戻る（Ｓ２０）。
【００４２】
Ｓ１５において前記呼出信号が相手局登録信号で有った場合には、子機に対して相手局登録応答信号を送信して、通信終了後、再び他の未登録の子機からの相手局登録信号受信待ちとなる（Ｓ１６）。
【００４３】
以上のように、本発明の無線テレメータシステムの好ましい実施形態では、親機４は、図７と図８のＳ１５ないしＳ２０に示すように、一度相手局登録動作を行うと、その後，親機４は一定期間相手局登録状態となるので、追加する子機が複数有った場合でも、親機情報の事前登録は最初の１台の子機のみ実施するだけでよく、２台目の子機以降は事前登録をする必要がない。
【００４４】
また、相手局登録済の子機から相手局登録信号を受信した場合に、一定期間相手局登録状態となり、この場合、子機に親機情報の事前登録をすることなく、子機のみの操作で相手局登録を行うことができる。
【００４５】
本発明の無線テレメータシステムの実施形態では、子機は、相手局登録を子機のみの操作で行える相手局登録手段を備えている。また、相手局登録を子機のみの操作で行うために必要となる親機の情報を、子機に対して事前登録するための親機情報登録手段を備えている。これによって、追加する子機の相手局登録スイッチを押下することにより、子機は相手局登録を行う親機に対して、相手局登録信号を送出し、目的とする親機と相手局登録を行うことができる。
【００４６】
また、本発明の無線テレメータシステムの実施形態では、親機は、相手局登録済の子機から相手局登録信号を受信した場合、相手局登録受付状態となる相手局登録手段を備えている。これによって、子機を新たに追加したい場合、相手局登録済の子機の相手局登録スイッチを押下することにより、親機を相手局登録受付状態にし、新たに追加しようとする子機の相手局登録スイッチを押下することにより、子機は相手局登録信号を送出し、目的とする親機と相手局登録を行うことができる。
【００４７】
以上の説明で明らかなように、本発明の無線テレメータシステムの実施形態により、以下のような効果が得られる。
（１）相手局登録を子機のみの操作で行えるので、従来のように親機の設置場所の都合により、工事担当者が相手局登録用スイッチを押下することが困難な場合でも、簡単に親機に対して追加しようとする子機の相手局登録が行える。
（２）標準で具備しているメータインターフェースを利用した有線通信によって、相手局登録済みの子機から親機の事前登録を行えるので、コストアップすることなく、子機のみの操作による相手局登録が実現可能である。
（３）親機情報の事前登録を無線通信によって、相手局登録済みの子機から行う新たに追加しようとする子機にあっては、子機同士を接続するためのインターフェース変換手段が不要であるため、有線通信による場合よりさらに簡単に事前登録を行うことができる。
（４）親機は、一度相手局登録動作を行うと、その後一定期間相手局登録状態となるので、追加する子機が複数あった場合でも、親機情報の事前登録は最初の１台の子機のみに実施するだけでよく、２台目の子機以降には事前登録をする必要がないため、複数の子機を短時間で新たに追加することができる。
（５）相手局登録済の子機から相手局登録信号を受信した場合に、一定期間相手局登録状態となる親機にあっては、子機に親機情報の事前登録をすることなく、子機のみの操作で相手局登録を行うことができるので、より一層子機の追加を簡単に行える。
本発明は、上記実施形態に限定されず、特許請求の範囲を逸脱しない範囲で種々の変更を行うことができる。
【図面の簡単な説明】
【００４８】
【図１】本発明の無線テレメータシステムの好ましい実施形態を示すシステム構成図である。
【図２】図１の無線テレメータシステムにおける親機及び子機の構成を示すブロック図である。
【図３】図１の無線テレメータシステムにおけるメータインターフェースの構成図である。
【図４】インターフェース変換手段の構成図
【図５】子機の登録スイッチが押下された場合の動作を示すフローチャートである。
【図６】子機の登録スイッチが押下された場合の動作の続きを示すフローチャートである。
【図７】親機の動作を示すフローチャートである。
【図８】親機の動作の続きを示すフローチャートである。
【符号の説明】
【００４９】
１          ホストコンピュータ
２          センター側網制御装置
３          Ｔ−ＮＣＵ（端末側網制御装置）
４          無線親機
５ａ〜５ｍ  無線子機
６ａ〜６ｎ  メータ
７          アンテナ
８          無線通信ユニット
９，２５    制御部
１０        メータインターフェース部
１１        自局ＩＤ記憶部
１２        相手局ＩＤ記憶部
１３        スイッチ部
１４        表示部
１５，１６  フォトカプラ
１７，１８，２１，２２，２８，２９  スイッチ
１９，２０，２３，２４，２６，２７  抵抗
【図１】
2007184742.tif 000003
【図２】
2007184742.tif 000004
【図３】
2007184742.tif 000005
【図４】
2007184742.tif 000006
【図５】
2007184742.tif 000007
【図６】
2007184742.tif 000008
【図７】
2007184742.tif 000009
【図８】
2007184742.tif 000010